(57)【要約】【課題】  用紙などの対象物に綴じられたステープルを除去するには、従来方法では細かい神経が必要で手間が掛かり、使い勝手も悪かった。これを、パンチ処理の方法で改善し、ステープラによるステープル綴じと同じような手軽さで、簡単迅速にステープルを除去できるステープルリムーバを提供する。【解決手段】  用紙上のステープルの位置を目視で容易に確認できる覗き孔１Ｈとパンチ受け板１Ｆを有し、ステープルを用紙の一部と共にパンチ処理するパンチ刃１Ａを備えており、このパンチ刃１Ａを作動させるために手押し部６Ａを設けている。また、他の構造として、除去されたステープルを収容するためのステープル収容部を設けた構造や、パンチ刃１Ａを軽い力で作動させるためのレバー方式による構造、さらに、枚数の多い用紙をパンチ処理するための用紙押え機構を有する構造などを設けている。【選択図】図１
2014205230.tif 000002
【特許請求の範囲】
【請求項１】
台座と、
覗き孔を形成する周壁を有し、前記台座に上下動可能に支持された手押し部と、パンチ抜き孔を形成し、前記周壁に固定されたパンチ受け板と、該パンチ受け板の直下に形成された用紙挿入部とを備えたハウジングと、該ハウジングから下方に延びるパンチ刃案内部と、前記パンチ抜き孔に向い合い、該パンチ刃案内部内にあって上下動可能にして前記台座に固定されたパンチ刃と、
押下げられた前記ハウジングを待機位置に復帰する、前記台座とハウジングとの間に設けられた復帰ばねと、
を備えたステープルリムーバ。
【請求項２】
上部本体と下部本体とからなり、該上部本体と下部本体との間に用紙挿入部を形成したリムーバ本体と、
前記上部本体に覗き孔を形成する周壁と、パンチ抜き孔を形成し、前記周壁に固定されたパンチ受け板と、前記下部本体から下方に延びるパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、作動支点となる支持軸と前記連結ピンを介して前記パンチ刃に連結されているレバーと、前記作動後の該レバーを待機位置に復帰する復帰ばねと、
を備えたステープルリムーバ。
【請求項３】
前記ハウジングの上部にステープル収容部材を設けた手押し形のリムーバで、
台座と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板と、該パンチ受け板の直下に形成された用紙挿入部とを備えた収容付ハウジングと、
を備えた請求項１記載のステープルリムーバ。
【請求項４】
前記リムーバ本体の上部にステープル収容部材を設けたレバー形のリムーバで、
上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
を備えた請求項２記載のステープルリムーバ。
【請求項５】
上部にステープル収容部材を設け、前記パンチ刃を上下動させるレバーが、押下げレバー形のリムーバで、
ベース台と、上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
前記下部本体から下方に延びるパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、作動支点となる支持軸と前記連結ピンを介して前記パンチ刃に連結されている押下げレバーと、前記作動後の該押下げレバーを待機位置に復帰する復帰ばねと、
を備えたステープルリムーバ。
【請求項６】
上部にステープル収容部材を設け、前記パンチ刃を上下動させるレバーが、カンチレバー形のリムーバで、
上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
前記下部本体から下方に延びるパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、前記収容付リムーバ本体の後方に板ばねを固定し、該板ばねは前方に支持孔を形成し、該支持孔内には前記下部本体に回動自在に支持された支持軸を挿入し、前方先端にはスライドピースを設け、
該支持軸は支持ピン備え、該支持ピンはレバー作用面を有するカンチレバーの先端に設けられ、該カンチレバーは前記支持ピンを回動支点として前記レバー作用面により前記板ばねを撓ませて、前記連結ピンを介して前記パンチ刃を上下動させる、ステープルリムーバ。
【請求項７】
上部にステープル収容部材を設け、前記パンチ刃を上下動させるレバーが、リンクレバー形のリムーバで、
上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
前記下部本体から下方に延びるパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、リンクレバーを設け、前記収容付リムーバ本体の後方にスイングピンによりスイングバーを回動自在に設け、該スイングバーは前記リンクレバーを作動後、待機位置に復帰する復帰ばねと、上ピンと、スライドピースを備え、
前記上ピンは作動ピースと下ピンに連結しており、該下ピンは前記リンクレバーに接続され、前記リンクレバーは、回動自在に支持された支持軸を作動支点として、前記連結ピンを介して前記パンチ刃を上下動させる、ステープルリムーバ。
【請求項８】
上部にステープル収容部材を設け、用紙挿入部に用紙挟み機構を設けた、平行リンク形のリムーバで、
上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
前記下部本体の前方のスリーブ部に挿入されたパンチ筒部とパンチ刃案内部と、
前記パンチ抜き孔に向い合い、前記パンチ刃案内部内にあって上下動可能にして前記パンチ筒部に支持された連結ピンとパンチ刃と、
該パンチ刃を上下動可能にするために、前記収容付リムーバ本体の前記上部本体側に主レバーを設け、前記下部本体側に従レバーを設け、
前記主レバーと従レバーは支持軸を介して交差状に連結され、
前記主レバーは前記支持軸を支点として前記上部本体には主平行ピンと、前記下部本体には従作動ピンと連結され、
前記従レバーは前記支持軸を支点として前記下部本体には従平行ピンと、前記上部本体には主作動ピンと連結して、前記上部本体と下部本体を平行に上下動させ、
前記上部本体と下部本体との間には、前記主レバーと従レバーを操作後待機位置に復帰する復帰ばねを備え、
前記スリーブ部は前記パンチ筒部を上下自在に設け、挿入された用紙を挟み込むために前記パンチ筒部の上部にばね棒が固定され、該ばね棒は吸収ばねを設け、
前記レバーと従レバーを操作することにより、前記パンチ筒部の上部が前記パンチ受け板と共に用紙を挟み、前記連結ピンを介して前記パンチ刃を上下動させる、ステープルリムーバ。
【請求項９】
上部にステープル収容部材を設け、用紙挿入部に用紙押え機構を設けた、用紙押え形のリムーバで、
ベース台と、上部本体と下部本体とからなり、該上部本体と下部本体との間に用紙挿入部を形成した収容付リムーバ本体と、
上部に透明な確認窓とステープル収容部を形成したステープル収容ケースと
前記確認窓の直下に覗き孔を形成する周壁を有し、パンチ抜き孔を形成し、前記周壁に固定されたパンチ受け板を備えた前記上部本体と、
前記下部本体から下方に延びるパンチ筒部とパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、作動支点となる支持軸と前記パンチ刃に連結されている押えレバーと、前記作動後の該押えレバーを待機位置に復帰する復帰ばねと、
前記パンチ筒部の外周には押えスリーブと、該押えスリーブに支持された一対のばね棒と吸収ばねと、該ばね棒は上方に用紙押え板を接続固定し、
前記押えレバーは前記支持軸を作動支点として、前記連結ピンと前記押えスリーブを介して前記用紙押え板を上下動させ、前記パンチ刃案内部に設けた前記パンチ刃を上下動させる、ステープルリムーバ。
【請求項１０】
前記パンチ受け板は金属や透明樹脂板あるいは透明ガラスであり、
前記パンチ刃のパンチ刃先は側面断面がＶ字形状を有する、
請求項１〜請求項９記載のステープルリムーバ。
【発明の詳細な説明】
【技術分野】
【０００１】  本発明は、用紙などの対象物に綴じられたステープルを、パンチ刃でステープルとステープル綴じ部を取り囲む用紙の一部を含めて切り抜き除去する、パンチ処理による方法で、ステープルを簡便で迅速に除去する用具に関するものである。
【背景技術】
【０００２】  現在の循環型環境社会においては資源の再利用が求められている。この資源再利用の観点から、金属製のステープルにより綴じられた用紙なども紙資源として再利用するため、用紙からステープルを除去する必要がある。また、用紙をシュレッダーで細断するにも用紙からステープルを除去する必要がある。【０００３】  従来、用紙などの対象物に綴じられたステープルを除去する用具としては、大きく分けて２種類の方法が提案されている。第１の方法は、へら形状の差込片を利用した方法が従来技術として最も知られている。この方法は、基台に取り付けられた操作ハンドルの先端に固定されたへら形状の差込片を、用紙に綴じられたステープルのクラウン部と用紙との間に差し込んで操作ハンドルを押し下げる。これにより、差込片がてこの原理を利用してステープルを持ち上げて用紙から引き抜き除去する（例えば、特許文献１参照）。【０００４】  第２の方法として、パンチ刃でステープルとステープル綴じ部を取り囲む用紙の一部を含めて切り抜き、ステープルを除去するパンチ処理による方法がある。この方法は、複写機などの画像形成装置において、ステープルで綴じられた片面印刷済みの用紙の裏面を使用して新たな印刷を行う場合、用紙にステープルが除去されずに残されていると画像形成装置に不具合が生じるため、パンチ処理でステープルとステープル綴じ部を取り囲む用紙の一部を含めて切り抜き、ステープルを除去するパンチユニットを画像形成装置内に設けている（例えば、特許文献２参照）。【０００５】  また、もう一つの第２の方法の場合、ステープラの針ホルダにパンチ刃と、下カバーにパンチ孔を設けて、切替レバーによりステープラとしてのステープル綴じ機能と、パンチ刃によるステープルの除去機能を切替えるようにしている（例えば、特許文献３参照）。
【先行技術文献】
【特許文献】
【０００６】
【特許文献１】  特開２０１１−１１３２２号公報
【特許文献２】  特開２００６−３０６５７１号公報
【特許文献３】  特開２０１１−１１０６４７号公報
【発明の概要】
【発明が解決しようとする課題】
【０００７】  しかしながら、前記特許文献１に記載されている方法によれば、
へら形状の差込片をステープルのクラウン部と用紙の間に差し込んで引き抜くという作業になるため、用紙を必ず平坦な台の上に置き、ずれないように人力で押えておく必要があり、差込片あるいはスロープ部材のクラウン部への差し込み引き抜き動作は、細かい神経が必要で手間が掛かり、さらに用紙枚数が多い場合は、差し込み後、操作ハンドルを操作する手間も必要なため、使い勝手も悪いという問題があった。【０００８】  前記特許文献２に記載されている方法によれば、
パンチユニットは画像形成装置に装置の一部として、用紙上のステープルの位置を検出する導通センサと組合わされて構成されているもので、目的として用紙を裏紙として使用する場合である。また、パンチユニットは画像形成装置へ挿入後の、用紙から除去されてないステープルに限って検出し除去するもので、本来、画像形成装置に挿入する前の用紙のステープルを除去できるものではない。【０００９】  前記特許文献３に記載されている方法によれば、
ホチキス部とパンチ部が一体型のため、ステープルを除去する場合、切替レバーにより用紙止めをパンチ処理位置にセットして、ステープル除去作業を行うため手間が掛かる。また、用紙のステープルの位置を目視確認するために、必ずステープラを裏返す必要があり使い勝手も悪い。さらに、パンチ刃はその形状からパンチ処理後のステープルの落下を防ぐようにしているため、毎回パンチ処理後にステープルのパンチカスを用紙から手で取り除く手間が掛かるという問題がある。【００１０】  ホチキス部とパンチ部が一体型のため、支点軸を中心にした回転作動によるパンチ処理となる。この場合、パンチ刃は回転軌跡でパンチ処理動作をするため、パンチ抜き時にパンチ刃とパンチ孔との中心位置が僅かにずれる。このため、パンチ刃による切り口が汚くなり、特に用紙の枚数が多い場合はパンチ処理が困難になるという問題がある。【００１１】  このように、パンチ処理によるステープルを除去する機構の場合、ホチキス部とパンチ部を一体化させると、使い勝手も悪く手間が掛かり、ステープラによるステープル綴じと同じような手軽で迅速な作業は望めない。【００１２】  本発明は、上記従来技術の問題点を解決することを課題とする。
具体的には、用紙などの対象物に綴じられたステープルをパンチ処理によって、ステープラによるステープル綴じと同じような手軽さで、簡便で迅速に除去する専用の用具を提供し、さらに、用紙枚数が多い場合も同様に簡便で迅速に除去する専用の用具を提供することを課題とする。
【課題を解決するための手段】
【００１３】  請求項１に係るステープルリムーバは、
台座と、
覗き孔を形成する周壁を有し、前記台座に上下動可能に支持された手押し部と、パンチ抜き孔を形成し、前記周壁に固定されたパンチ受け板と、該パンチ受け板の直下に形成された用紙挿入部とを備えたハウジングと、該ハウジングから下方に延びるパンチ刃案内部と、前記パンチ抜き孔に向い合い、該パンチ刃案内部内にあって上下動可能にして前記台座に固定されたパンチ刃と、
押下げられた前記ハウジングを待機位置に復帰する、前記台座とハウジングとの間に設けられた復帰ばねとを備えている。【００１４】  この構成によれば、ステープルで綴じられた用紙を用紙挿入部に挿入した時、目視で覗き孔から用紙上のステープルの位置を確認できるため、ステープルの位置合わせが大変容易であること、および、手押し部を手で押下げるだけの操作で、迅速にステープルを除去できる、などの課題を解決するための手段を有している。【００１５】  請求項２に係るステープルリムーバは、
上部本体と下部本体とからなり、該上部本体と下部本体との間に用紙挿入部を形成したリムーバ本体と、
前記上部本体に覗き孔を形成する周壁と、パンチ抜き孔を形成し、前記周壁に固定されたパンチ受け板と、前記下部本体から下方に延びるパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、作動支点となる支持軸と前記連結ピンを介して前記パンチ刃に連結されているレバーと、前記作動後の該レバーを待機位置に復帰する復帰ばねとを備えている。【００１６】  この構成によれば、ステープルで綴じられた用紙を用紙挿入部に挿入した時、目視で覗き孔から用紙上のステープルの位置を確認できるため、ステープルの位置合わせが大変容易である。また、レバー操作によるため操作力が軽くなると共に、レバーを引上げるだけの操作で、迅速にステープルを除去できる、などの課題を解決するための手段を有している。【００１７】  請求項３に係るステープルリムーバは、請求項１において、
前記ハウジングの上部にステープル収容部材を設けた手押し形のリムーバで、
台座と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板と、該パンチ受け板の直下に形成された用紙挿入部とを備えた収容付ハウジングとを備えている。【００１８】  この構成によれば、ステープルで綴じられた用紙を用紙挿入部に挿入した時、目視で確認窓から用紙上のステープルの位置を確認できると共に、ステープル収容ケースを設けているため、飛散したステープルを周囲に散乱させることなくステープル収容部に蓄積できる。また、手押し部を手で押下げるだけの操作で、迅速にステープルを除去できる、などの課題を解決するための手段を有している。【００１９】  請求項４に係るステープルリムーバは、請求項２において、
前記リムーバ本体の上部にステープル収容部材を設けたレバー形のリムーバで、
上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体とを備えている。【００２０】  この構成によれば、ステープルで綴じられた用紙を用紙挿入部に挿入した時、目視で確認窓から用紙上のステープルの位置を確認できると共に、ステープル収容ケースを設けているため、飛散したステープルを周囲に散乱させることなくステープル収容部に蓄積できる。また、レバー操作によるため操作力が軽くなると共に、レバーを手で引上げるだけの操作で、迅速にステープルを除去できる、などの課題を解決するための手段を有している。【００２１】  請求項５に係るステープルリムーバは、
上部にステープル収容部材を設け、前記パンチ刃を上下動させるレバーが、押下げレバー形のリムーバで、
ベース台と、上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
前記下部本体から下方に延びるパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、作動支点となる支持軸と前記連結ピンを介して前記パンチ刃に連結されている押下げレバーと、前記作動後の該押下げレバーを待機位置に復帰する復帰ばねとを備えている。【００２２】  この構成によれば、ステープルで綴じられた用紙を用紙挿入部に挿入した時、目視で確認窓から用紙上のステープルの位置を確認できると共に、ステープル収容ケースを設けているため、飛散したステープルを周囲に散乱させることなくステープル収容部に蓄積できる。また、押下げレバー操作によるため操作力が軽くなると共に、押下げレバーを手で押下げるだけの操作で、迅速にステープルを除去できる。さらに、ベース台を平坦な台の上に置くことにより、少し多い用紙枚数の場合でも安定したパンチ処理作業ができる、などの課題を解決するための手段を有している。【００２３】  請求項６に係るステープルリムーバは、
上部にステープル収容部材を設け、前記パンチ刃を上下動させるレバーが、カンチレバー形のリムーバで、
上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
前記下部本体から下方に延びるパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、前記収容付リムーバ本体の後方に板ばねを固定し、該板ばねは前方に支持孔を形成し、該支持孔内には前記下部本体に回動自在に支持された支持軸を挿入し、前方先端にはスライドピースを設け、
該支持軸は支持ピン備え、該支持ピンはレバー作用面を有するカンチレバーの先端に設けられ、該カンチレバーは前記支持ピンを回動支点として前記レバー作用面により前記板ばねを撓ませて、前記連結ピンを介して前記パンチ刃を上下動させる。【００２４】  この構成によれば、ステープルで綴じられた用紙を用紙挿入部に挿入した時、目視で確認窓から用紙上のステープルの位置を確認できると共に、ステープル収容ケースを設けているため、飛散したステープルを周囲に散乱させることなくステープル収容部に蓄積できる。また、カンチレバー操作によるため操作力が軽くなると共に、カンチレバーを手で引上げるだけの操作で、迅速にステープルを除去できる。さらに、カンチレバーを反転させることにより、リムーバの保管が容易になるなどの課題を解決するための手段を有している。【００２５】  請求項７に係るステープルリムーバは、
上部にステープル収容部材を設け、前記パンチ刃を上下動させるレバーが、リンクレバー形のリムーバで、
上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
前記下部本体から下方に延びるパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、リンクレバーを設け、前記収容付リムーバ本体の後方にスイングピンによりスイングバーを回動自在に設け、該スイングバーは前記リンクレバーを作動後、待機位置に復帰する復帰ばねと、上ピンと、スライドピースを備え、
前記上ピンは作動ピースと下ピンに連結しており、該下ピンは前記リンクレバーに接続され、前記リンクレバーは、回動自在に支持された支持軸を作動支点として、前記連結ピンを介して前記パンチ刃を上下動させる。【００２６】  この構成によれば、ステープルで綴じられた用紙を用紙挿入部に挿入した時、目視で確認窓から用紙上のステープルの位置を確認できると共に、ステープル収容ケースを設けているため、飛散したステープルを周囲に散乱させることなくステープル収容部に蓄積できる。また、リンクレバーによる操作のため操作力が軽くなると共に、リンクレバーを手で引上げるだけの操作で、迅速にステープルを除去できる、などの課題を解決するための手段を有している。【００２７】  請求項８に係るステープルリムーバは、
上部にステープル収容部材を設け、用紙挿入部に用紙挟み機構を設けた、平行リンク形のリムーバで、
上部本体と下部本体とからなり、該上部本体と下部本体との間に用紙挿入部を形成した収容付リムーバ本体と、
上部に透明な確認窓とステープル収容部を形成したステープル収容ケースと、
前記確認窓の直下に覗き孔を形成する周壁を有し、パンチ抜き孔を形成し、前記周壁に固定されたパンチ受け板を備えた前記上部本体と、
前記下部本体の前方のスリーブ部に挿入されたパンチ筒部とパンチ刃案内部と、
前記パンチ抜き孔に向い合い、前記パンチ刃案内部内にあって上下動可能にして前記パンチ筒部に支持された連結ピンとパンチ刃と、
該パンチ刃を上下動可能にするために、前記収容付リムーバ本体の前記上部本体側に主レバーを設け、前記下部本体側に従レバーを設け、
前記主レバーと従レバーは支持軸を介して交差状に連結され、
前記主レバーは前記支持軸を支点として前記上部本体には主平行ピンと、前記下部本体には従作動ピンと連結され、
前記従レバーは前記支持軸を支点として前記下部本体には従平行ピンと、前記上部本体には主作動ピンと連結して、前記上部本体と下部本体を平行に上下動させ、
前記上部本体と下部本体との間には、前記主レバーと従レバーを操作後待機位置に復帰する復帰ばねを備え、
前記スリーブ部は前記パンチ筒部を上下自在に設け、挿入された用紙を挟み込むために前記パンチ筒部の上部にばね棒が固定され、該ばね棒は吸収ばねを設け、
前記レバーと従レバーを操作することにより、前記パンチ筒部の上部が前記パンチ受け板と共に用紙を挟み、前記連結ピンを介して前記パンチ刃を上下動させる。【００２８】  この構成は、パンチ処理をする用紙の枚数が多い場合に、用紙挿入部で用紙を挟むことで、用紙がずれたりパンチ刃により引き込まれないようにする。このため、パンチ処理を確実に行うことができる。また、ステープルで綴じられた用紙を用紙挿入部に挿入した時、目視で確認窓から用紙上のステープルの位置を確認できると共に、ステープル収容ケースを設けているため、飛散したステープルを周囲に散乱させることなくステープル収容部に蓄積できる。
また、主レバーと従レバーによるレバー操作のため操作力が軽くなると共に、主レバーと従レバーを手で操作するだけで、迅速にステープルを除去できる、などの課題を解決するための手段を有している。【００２９】  請求項９に係るステープルリムーバは、
上部にステープル収容部材を設け、用紙挿入部に用紙押え機構を設けた、用紙押え形のリムーバで、
ベース台と、上部本体と下部本体とからなり、該上部本体と下部本体との間に用紙挿入部を形成した収容付リムーバ本体と、
上部に透明な確認窓とステープル収容部を形成したステープル収容ケースと
前記確認窓の直下に覗き孔を形成する周壁を有し、パンチ抜き孔を形成し、前記周壁に固定されたパンチ受け板を備えた前記上部本体と、
前記下部本体から下方に延びるパンチ筒部とパンチ刃案内部と、
前記パンチ抜き孔に向い合い、該パンチ刃案内部内にあって上下動可能にして前記下部本体に支持された連結ピンとパンチ刃と、
該パンチ刃を上下動可能にするために、作動支点となる支持軸と前記パンチ刃に連結されている押えレバーと、前記作動後の該押えレバーを待機位置に復帰する復帰ばねと、
前記パンチ筒部の外周には押えスリーブと、該押えスリーブに支持された一対のばね棒と吸収ばねと、該ばね棒は上方に用紙押え板を接続固定し、
前記押えレバーは前記支持軸を作動支点として、前記連結ピンと前記押えスリーブを介して前記用紙押え板を上下動させ、前記パンチ刃案内部に設けた前記パンチ刃を上下動させる。【００３０】  この構成は、パンチ処理をする用紙の枚数が多い場合に、用紙挿入部で用紙を押えることで、用紙がずれたりパンチ刃により引き込まれないようにする。このため、パンチ処理を確実に行うことができる。また、ステープルで綴じられた用紙を用紙挿入部に挿入した時、目視で確認窓から用紙上のステープルの位置を確認できると共に、ステープル収容部を設けているため、飛散したステープルを周囲に散乱させることなくステープル収容部に蓄積できる。
また、押えレバー操作のため操作力が軽くなると共に、押えレバーを手で押下げるだけの操作で、迅速にステープルを除去できる。さらに、ベース台を平坦な台の上に置くことにより、安定したパンチ処理作業ができる、などの課題を解決するための手段を有している。【００３１】  請求項１０に係るステープルリムーバは、請求項１〜請求項９記載において、
前記パンチ受け板は金属や透明樹脂板あるいは透明ガラスであり、
前記パンチ刃のパンチ刃先は側面断面がＶ字形状を有する。【００３２】  この構成は、請求項１〜請求項９のステープルリムーバに適用され、用紙挿入部上のステープルを目視で確認するため、パンチ受け板は透明にしている。
このパンチ受け板は、金属であってもパンチ抜き孔からステープルの位置を確認できる。
また、パンチ刃のパンチ刃先の側面断面をＶ字形状にすることにより、パンチ処理時の人力負荷を軽減し、パンチ抜きによる用紙の切り口が綺麗に処理される、などの課題を解決するための手段を有している。
【発明の効果】
【００３３】  本発明に係るステープルリムーバによれば、
従来のへら形状の差込片をステープルのクラウン部と用紙の間に差し込んで引き抜くという細かい神経が必要な方法に比べて、本発明は、一回のパンチ処理操作でステープルを用紙の一部と共に大雑把に除去するため、細かい神経が不要で手間も掛からず使い勝手の良い効果を有する。【００３４】  本発明に係るステープルリムーバによれば、
従来のステープルを用紙の一部と共にパンチ処理で除去する方法に比べて、本発明は、ステープルを除去する専用の用具であり、用紙上のステープルの位置が目視で容易に確認可能であり、ステープラによるステープル綴じと同じような手軽さで、簡便で迅速にステープルを除去できる効果を有する。【００３５】  本発明に係るステープルリムーバによれば、
パンチ処理後のステープルが外部へ飛散するのを防止するため、除去されたステープルを収容するステープル収容ケースを設けているため、ステープルの処理片が周囲に散乱しない効果を有する。【００３６】  本発明に係るステープルリムーバによれば、
ステープルを除去する用紙の枚数が多い場合でもパンチ処理が可能である。
請求項８および請求項９のリムーバでは用紙挿入部で用紙を挟んだり押えたりすることで、用紙がパンチ刃によりずれたり引き込まれないようにする。このため、用紙枚数が多くてもパンチ処理を確実に行うことができる。
このように、本発明は、従来のステープル除去作業に比べて使い勝手が大きく向上するため、これまでステープルの除去が面倒で廃棄物として廃棄していた紙資源の再利用が促進される効果を有する。
【図面の簡単な説明】
【００３７】
【図１】  実施例１を示す正面断面図である。
【図２】  実施例１を示す図１のａ−ａ矢視に沿う側面断面図である。
【図３】  実施例１を示す上面図である。
【図４】  実施例２を示す正面断面図である。
【図５】  実施例２を示す図４のｂ−ｂ矢視に沿う側面断面図である。
【図６】  実施例２を示す上面図である。
【図７】  実施例３を示す正面断面図である。
【図８】  実施例３を示す図７のｃ−ｃ矢視に沿う側面断面図である。
【図９】  実施例３を示す上面図である。
【図１０】  実施例４を示す正面断面図である。
【図１１】  実施例４を示す図１０のｉ−ｉ矢視に沿う側面断面図である。
【図１２】  実施例４を示す上面図である。
【図１３】  実施例５を示す正面断面図である。
【図１４】  実施例５を示す図１３のｄ−ｄ矢視に沿う側面断面図である。
【図１５】  実施例５を示す上面図である。
【図１６】  実施例６を示す正面断面図である。
【図１７】  実施例６を示す図１６のｅ−ｅ矢視に沿う側面断面図である。
【図１８】  実施例６を示す上面図である。
【図１９】  実施例６の作動状態図である。
【図２０】  実施例６の保管状態図である。
【図２１】  実施例７を示す正面断面図である。
【図２２】  実施例７を示す図２１のｆ−ｆ矢視に沿う側面断面図である。
【図２３】  実施例７を示す上面図である。
【図２４】  実施例８を示す正面断面図である。
【図２５】  実施例８を示す図２４のｇ−ｇ矢視に沿う側面断面図である。
【図２６】  実施例８を示す上面図である。
【図２７】  実施例９を示す正面断面図である。
【図２８】  実施例９を示す図２７のｈ−ｈ矢視に沿う側面断面図である。
【図２９】  実施例９を示す上面図である。
【図３０】  パンチ刃先にステープルを挿入した上面図である。
【図３１】  実施例１の作動状態図である。
【図３２】  実施例８の作動状態図である。
【図３３】  実施例９の作動状態図である。
【発明を実施するための形態】
【００３８】  本発明を実施するための形態について、実施例１から実施例９に基づいて説明する。
図中、同一の符号は同一または対応の部分を示し、図面に向かって左側を前方、右側を後方とし、上側を上方、下側を下方とする。
【実施例１】
【００３９】  図１〜図３は本発明の手押し形の基本構造を示す。
主にパンチ処理で用紙Ｐ上のステープルｍを除去するためのパンチ刃１Ａ周りと、パンチ刃１Ａを上下動させるためのハウジング６周りで構成されている。【００４０】  ハウジング６は、上部に覗き孔１Ｈを形成する周壁１Ｋを設け、周壁１Ｋの下部にはパンチ抜き孔１Ｇを形成するパンチ受け板１Ｆを備えている。パンチ受け板１Ｆの直下には、ステープルｍを除去する用紙Ｐを挿入する用紙挿入部１Ｅが形成され、用紙挿入部１Ｅから下方に延びるパンチ筒部６Ｅとパンチ刃案内部６Ｃが設けられている。パンチ刃案内部６Ｃ内には、パンチ抜き孔１Ｇに向い合うようにパンチ刃１Ａが上下動可能に設けられている。パンチ刃１Ａはパンチ刃先１Ｂを有し、パンチ刃１Ａを上下動させるガイドホルダ１Ｄと、パンチ刃１Ａをガイドホルダ１Ｄに固定する固定ピン１Ｃで構成されている。【００４１】  ハウジング６は、上部に覗き孔１Ｈと共に、手で押えやすい円形の手押し部６Ａが設けられ、下部にはパンチ刃案内部６Ｃと共にガイド孔６Ｄが設けられている。ガイド孔６Ｄにはガイドバー４が上下動可能に挿入され、ガイドバー４の下端には台座３が固定され、台座３とハウジング６の間には、押下げられたハウジング６を待機位置に復帰する復帰ばね５が設けられている。また、台座３とガイドホルダ１Ｄは、連結ピン２により連結されている。【００４２】  パンチ刃１Ａの材料は金属であり、パンチ刃先１Ｂの側面断面は図２に示すように、上面が両端部から中心に向かって凹みを付けたＶ字形状である。これはパンチ処理の時に、用紙を両端部から徐々に中心に向かって切り抜くようにしたもので、パンチ処理時の人力負荷を軽減する形状にしていると共に、パンチ抜きによる用紙Ｐの孔の切り口が綺麗に処理されるため破れにくい効果も有する。【００４３】  パンチ刃先１Ｂの上面は、用紙Ｐ上のステープルｍを切抜くために図３０に示すような長円形状で、内部は中実になっており、除去するステープルｍを取り囲むような形状にしている。このパンチ刃１Ｂの長円形状の短軸隙間ｍ１と長軸隙間ｍ２の寸法は共に、中心に位置するステープルｍの端から１〜１０ｍｍの範囲内で構成されている。この寸法は、除去するステープルｍに対して、切り抜く用紙Ｐの部分をなるべく小さくして、切り抜き部分を目立たないようにする場合と、パンチ処理の作業性を迅速にするため用紙Ｐの切り抜き部分を大きくして、大雑把に切り抜いた際にステープルｍの位置が、パンチ刃先１Ｂの中心より多少ずれても、ステープルｍが除去できるようにするための、二つの方法に対処するため設定した寸法である。なお、パンチ刃先１Ｂは、パンチ抜き孔１Ｇの内側に挿入係合される。【００４４】  パンチ受け板１Ｆは、パンチ刃先１Ｂの相手となる切刃の機能が要求されるため、耐久性を考えて金属を使用するが、用紙挿入部１Ｅに挿入された用紙Ｐのステープルｍが、より見やすいように強度のある透明の樹脂板あるいは透明ガラスを用いてもよい。また、切刃部分となるパンチ抜き孔１Ｇの周囲だけ金属とし、他は透明の樹脂板や透明ガラスを用いてもよい。なお、パンチ抜き孔１Ｇは、パンチ刃先１Ｂを内側に挿入係合させるため、パンチ刃先１Ｂと同様の長円形状である。【００４５】  本発明の作用について説明する。
ステープルｍを除去する用紙Ｐを用紙挿入部１Ｅに挿入し、用紙Ｐ上のステープルｍがパンチ抜き孔１Ｇの内側に位置するように、覗き孔１Ｈからパンチ抜き孔１Ｇを覗いて確認する。確認できたら手で手押し部６Ａを復帰ばね５の圧縮力に抗して押し下げる。これにより、パンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈから外部に排出される。なお、図３１にパンチ処理後の作動状態図を示す。
【実施例２】
【００４６】  図４〜図６は本発明のレバー形の基本構造を示す。
本発明は、手動によるパンチ処理時の人力負荷を軽減するためのレバー方式のリムーバである。主にリムーバ本体２０周りと、パンチ処理で用紙Ｐ上のステープルｍを除去するためのパンチ刃１Ａ周りと、パンチ刃１Ａを上下動させるためのレバー２１周りで構成されている。【００４７】  リムーバ本体２０は、上部本体２０Ａと下部本体２０Ｂとからなり、上部本体２０Ａと下部本体２０Ｂの間には用紙挿入部１Ｅが形成されている。上部本体２０Ａは、上部に覗き孔１Ｈを形成する周壁１Ｋを設け、周壁１Ｋの下部にはパンチ抜き孔１Ｇを形成するパンチ受け板１Ｆを備えている。パンチ受け板１Ｆの下方には用紙挿入部１Ｅを介して下部本体２０Ｂが設けられている。下部本体２０Ｂは、下方に延びるパンチ筒部２０Ｆとパンチ刃案内部２０Ｄを備え、パンチ刃案内部２０Ｄ内には、パンチ抜き孔１Ｇに向い合うようにパンチ刃１Ａが上下動可能に設けられている。なお、パンチ刃１Ａ周りは、実施例１と同一の構成である。【００４８】  レバー２１によりパンチ処理を行うために、下部本体２０Ｂの前方の軸座２０Ｇに支持軸２２を回動自在に支持し、支持軸２２にはレバー２１を引上げ後待機位置に復帰するため、捩り形式の復帰ばね２３を備えている。レバー２１は、支持軸２２を作動支点として回動自在に設け、レバー２１の中間位置に長孔２１Ａを介して連結ピン２４を回動自在に設け、パンチ筒部２０Ｆに形成されたスライド孔２０Ｅとガイドホルダ１Ｄを介してパンチ刃１Ａを上下動させる。【００４９】  本発明の作用について説明する。
ステープルｍを除去する用紙Ｐを用紙挿入部１Ｅに挿入し、用紙Ｐ上のステープルｍがパンチ抜き孔１Ｇの内側に位置するように、覗き孔１Ｈからパンチ抜き孔１Ｇを覗いて確認する。確認できたら手でレバー２１を復帰ばね２３の捩り力に抗して引上げる。これにより、パンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈから外部に排出される。
【実施例３】
【００５０】  図７〜図９は本発明の手押し形のリムーバ１００の形態を示す。
本発明は、手押し形の基本構造となる実施例１に、パンチ処理により除去されたステープルｍの飛散を防止し、収容する部材を設けた形態である。主にステープルｍをパンチ処理するためのパンチ刃１Ａ周りと、パンチ刃１Ａを上下作動させるための収容付ハウジング３４周りと、除去されたステープルｍを収容するステープル収容ケース３５周りで構成されている。【００５１】  収容付ハウジング３４の上部にステープル収容ケース３５を設け、ステープル収容ケース３５は上部に確認孔３５Ａを形成する上部周壁３５Ｆを設け、上部周壁３５Ｆの下部にはステープルｍの位置を目視で確認すると共に、除去されたステープルｍの外部への飛散を防止する透明の確認窓３７が設けられている。確認窓３７の下方には、除去されたステープルｍを収容する空洞を形成するステープル収容部３６が設けられている。なお、確認窓３７は飛散したステープルｍにより、破損したり傷が入ったりしないしないように、強度のある透明の樹脂板あるいは透明ガラスを用いる。また、ステープル収容ケース３５の上部には、確認孔３５Ａと共に手で押えやすい円形の手押し部３５Ｂが設けられている。【００５２】  収容付ハウジング３４は、ステープル収容ケース３５に設けた確認窓３７の直下に、覗き孔１Ｈを形成する周壁１Ｋを設け、周壁１Ｋの下部にはパンチ抜き孔１Ｇを形成するパンチ受け板１Ｆを備えている。パンチ受け板１Ｆの直下には、ステープルｍを除去する用紙Ｐを挿入する用紙挿入部１Ｅが形成され、用紙挿入部１Ｅから下方にパンチ筒部３４Ａとパンチ刃案内部３５Ｄが設けられている。パンチ刃案内部３５Ｄ内には、パンチ抜き孔１Ｇに向い合うようにパンチ刃１Ａが上下動可能に設けられている。なお、パンチ刃１Ａ周りは、実施例１と同一の構成である。【００５３】  収容付ハウジング３４の下部には、パンチ刃案内部３５Ｄと共にガイド孔３５Ｅを備え、ガイド孔３５Ｅにはガイドバー４が上下動可能に挿入され、ガイドバー４の下端には台座３が固定されている。台座３と収容付ハウジング３４の間には、押下げられた収容付ハウジング３４を待機位置に復帰する復帰ばね５が設けられている。
また、台座３とガイドホルダ１Ｄは、連結ピン２により連結されている。【００５４】  本発明の作用について説明する。
ステープルｍを除去する用紙Ｐを用紙挿入部１Ｅに挿入し、用紙Ｐ上のステープルｍがパンチ抜き孔１Ｇの内側に位置するように、確認孔３５Ａと確認窓３７を介してパンチ抜き孔１Ｇを覗いて確認する。確認できたら手で手押し部３５Ｂを復帰ばね５の圧縮力に抗して押し下げる。これにより、パンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈからステープル収容部３６内に飛散して収容される。なお、パンチ処理で除去されたステープルｍは勢いよく飛散するため、確認窓３７を設けてステープル収容部３６内から外部に出ないようにしている。
【実施例４】
【００５５】  図１０〜図１２は本発明のレバー形のリムーバ２００の形態を示す。
本発明は、レバー形の基本構造となる実施例２に、パンチ処理により除去されたステープルｍの飛散を防止し、収容する部材を設けた形態である。主に収容付リムーバ本体２０Ｈ周りとステープルｍをパンチ処理するためのパンチ刃１Ａ周りと、パンチ刃１Ａを上下動させるためのレバー２１周りと、除去されたステープルｍを収容するステープル収容ケース２５周りで構成されている。【００５６】  収容付リムーバ本体２０Ｈは、上部本体２０１と下部本体２０Ｊからなり、上部本体２０１の上部にはステープル収容ケース２５を備え、上部本体２０１と下部本体２０Ｊの間には用紙挿入部１Ｅが形成されている。ステープル収容ケース２５は上部に確認孔２５Ａを形成する上部周壁２５Ｂを設け、上部周壁２５Ｂの下部にはステープルｍの位置を目視で確認すると共に、除去されたステープルｍの外部への飛散を防止する透明の確認窓２７が設けられている。確認窓２７の下方には、除去されたステープルｍを収容する空洞を形成するステープル収容部２６が設けられている。なお、確認窓２７は飛散したステープルｍにより、破損したり傷が入ったりしないしないように、強度のある透明の樹脂板あるいは透明ガラスを用いる。【００５７】  上部本体２０１は、ステープル収容ケース２５に設けた確認窓２７の直下に、覗き孔１Ｈを形成する周壁１Ｋを設け、周壁１Ｋの下部にはパンチ抜き孔１Ｇを形成するパンチ受け板１Ｆを備えている。パンチ受け板１Ｆの下方には用紙挿入部１Ｅを介して、下部本体２０Ｊが設けられている。下部本体２０Ｊは、下方に延びるパンチ筒部２０Ｆとパンチ刃案内部２０Ｄを備え、パンチ刃案内部２０Ｄ内には、パンチ抜き孔１Ｇに向い合うようにパンチ刃１Ａが上下動可能に設けられている。なお、パンチ刃１Ａ周りは、実施例１と同一の構成である。【００５８】  レバー２１によりパンチ処理を行うために、下部本体２０Ｊの前方の軸座２０Ｇに支持軸２２を回動自在に支持し、支持軸２２にはレバー２１を引上げ後待機位置に復帰するため、捩り形式の復帰ばね２３を備えている。レバー２１は、支持軸２２を作動支点として回動自在に設け、レバー２１の中間位置に長孔２１Ａを介して連結ピン２４を回動自在に設け、パンチ筒部２０Ｆに形成されたスライド孔２０Ｅとガイドホルダ１Ｄを介してパンチ刃１Ａを上下動させる。【００５９】  本発明の作用について説明する。
ステープルｍを除去する用紙Ｐを用紙挿入部１Ｅに挿入し、用紙Ｐ上のステープルｍがパンチ抜き孔１Ｇの内側に位置するように、確認孔２５Ａと確認窓２７を介してパンチ抜き孔１Ｇを覗いて確認する。確認できたら手でレバー２１を復帰ばね２３の捩り力に抗して引上げる。これにより、パンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈからステープル収容部２６内に飛散して収容される。なお、パンチ処理で除去されたステープルｍは勢いよく飛散するため、確認窓２７を設けてステープル収容部２６内から外部に出ないようにしている。
【実施例５】
【００６０】  図１３〜図１５は本発明の押下げレバー形のリムーバ３００の形態を示す。
本発明は、パンチ処理により除去されたステープルｍの飛散を防止し、収容する部材を設けた形態である。主に収容付リムーバ本体４０周りとステープルｍをパンチ処理するためのパンチ刃１Ａ周りと、パンチ刃１Ａを上下動させるための押下げレバー４１周りと、除去されたステープルｍを収容するステープル収容ケース４５周りで構成されている。【００６１】  収容付リムーバ本体４０は、上部本体４０Ａと下部本体４０Ｂからなり、上部本体４０Ａの上部にはステープル収容ケース４５を備え、上部本体４０Ａと下部本体４０Ｂの間には用紙挿入部１Ｅが形成されている。ステープル収容ケース４５は上部に確認孔４５Ａを形成する上部周壁４５Ｂを設け、上部周壁４５Ｂの下部にはステープルｍの位置を目視で確認すると共に、除去されたステープルｍの外部への飛散を防止する透明の確認窓４７が設けられている。確認窓４７の下方には、除去されたステープルｍを収容する空洞を形成するステープル収容部４６が設けられている。なお、確認窓４７は飛散したステープルｍにより、破損したり傷が入ったりしないしないように、強度のある透明の樹脂板あるいは透明ガラスを用いる。【００６２】  上部本体４０Ａは、ステープル収容ケース４５に設けた確認窓４７の直下に、覗き孔１Ｈを形成する周壁１Ｋを設け、周壁１Ｋの下部にはパンチ抜き孔１Ｇを形成するパンチ受け板１Ｆを備えている。パンチ受け板１Ｆの下方には用紙挿入部１Ｅを介して、下部本体４０Ｂが設けられている。下部本体４０Ｂは、下方に延びるパンチ筒部４０Ｅとパンチ刃案内部４０Ｆを備え、パンチ刃案内部４０Ｆ内には、パンチ抜き孔１Ｇに向い合うようにパンチ刃１Ａが上下動可能に設けられている。なお、パンチ刃１Ａ周りは、実施例１と同一の構成である。【００６３】  押下げレバー４１によりパンチ処理を行うために、下部本体４０Ｂの下部にベース台４０Ｄを設けている。ベース台４０Ｄは前方に支持軸４２を設けた軸座４０Ｇを備え、支持軸４２には押下げレバー４１を回動自在に設け、押下げレバー４１を押下げ後待機位置に復帰するため、捩り形式の復帰ばね４３を備えている。押下げレバー４１は支持軸４２を作動支点として、前方の先端部に長孔４１Ａを介して連結ピン４４を回動自在に設け、パンチ筒部４０Ｅに形成されたスライド孔４０Ｈとガイドホルダ１Ｄを介してパンチ刃１Ａを上下動させる。【００６４】  本発明の作用について説明する。
ベース台４０Ｄを平坦な台上に設置し、ステープルｍを除去する用紙Ｐを用紙挿入部１Ｅに挿入し、用紙Ｐ上のステープルｍがパンチ抜き孔１Ｇの内側に位置するように、確認孔４５Ａと確認窓４７を介してパンチ抜き孔１Ｇを覗いて確認する。確認できたら手で押下げレバー４１を復帰ばね４３の捩り力に抗して押し下げる。これにより、パンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈからステープル収容部４６内に飛散して収容される。なお、パンチ処理で除去されたステープルｍは勢いよく飛散するため、確認窓４７を設けてステープル収容部４６内から外部に出ないようにしている。また、ベース台を平坦な台上に置くことにより、用紙Ｐの枚数が少し多い場合でも安定したパンチ処理作業ができる。
【実施例６】
【００６５】  図１６〜図１８は本発明のカンチレバー形のリムーバ４００の形態を示す。
本発明は、パンチ処理により除去されたステープルｍの飛散を防止し、収容する部材を設けた形態であり、爪切り具に多く利用されているてこの原理を応用したリムーバである。主に収容付リムーバ本体５０周りとステープルｍをパンチ処理するためのパンチ刃１Ａ周りと、パンチ刃１Ａを上下動させるためのカンチレバー５１周りと、除去されたステープルｍを収容するステープル収容ケース５８周りで構成されている。【００６６】  収容付リムーバ本体５０は、上部本体５０Ａと下部本体５０Ｂからなり、上部本体５０Ａの上部にはステープル収容ケース５８を備え、上部本体５０Ａと下部本体５０Ｂの間には用紙挿入部１Ｅが形成されている。ステープル収容ケース５８は上部に確認孔５８Ｂを形成する上部周壁５８Ｃを設け、上部周壁５８Ｃの下部にはステープルｍの位置を目視で確認すると共に、除去されたステープルｍの外部への飛散を防止する透明の確認窓５８Ａが設けられている。確認窓５８Ａの下方には、除去されたステープルｍを収容する空洞を形成するステープル収容部５９が設けられている。なお、確認窓５８Ａは飛散したステープルｍにより、破損したり傷が入ったりしないしないように、強度のある透明の樹脂板あるいは透明ガラスを用いる。【００６７】  上部本体５０Ａは、ステープル収容ケース５８に設けた確認窓５８Ａの直下に、覗き孔１Ｈを形成する周壁１Ｋを設け、周壁１Ｋの下部にはパンチ抜き孔１Ｇを形成するパンチ受け板１Ｆを備えている。パンチ受け板１Ｆの下方には用紙挿入部１Ｅを介して、下部本体５０Ｂが設けられている。下部本体５０Ｂは、下方に延びるパンチ筒部５０Ｆとパンチ刃案内部５０Ｄを備え、パンチ刃案内部５０Ｄ内には、パンチ抜き孔１Ｇに向い合うようにパンチ刃１Ａが上下動可能に設けられている。なお、パンチ刃１Ａ周りは、実施例１と同一の構成である。【００６８】  カンチレバー５１によりパンチ処理を行うために、収容付リムーバ本体５０の後端部に固定ピース５７を介して板ばね５２を固定している。板ばね５２は前方に支持孔５２Ａを形成すると共にスライドピース５６を備えている。スライドピース５６は、内部にパンチ筒部５０Ｆを挿入し、長孔５６Ａと連結ピン５５とスライド孔５０Ｅを介して、ガイドホルダ１Ｄに連結され、パンチ刃１Ａを上下動させる。支持孔５２Ａ内には、下部本体５０Ｂに挿入され回動支持された支持軸５３を設けている。支持軸５３は、上端に下部本体５０Ｂに回動支持するための支持鍔５３Ａと、下端に支持ピン５４を設け、支持ピン５４はカンチレバー５１の前方の先端部に設けられている。カンチレバー５１は支持ピン５４を回動支点として、てこの原理により板ばね５２を撓ませるために、前方の先端部分にレバー作用面５１Ａを有している。このレバー作用面５１Ａは板ばね５２に接触して設けられている。【００６９】  本発明の作用について説明する。
ステープルｍを除去する用紙Ｐを用紙挿入部１Ｅに挿入し、用紙Ｐ上のステープルｍがパンチ抜き孔１Ｇの内側に位置するように、確認孔５８Ｂと確認窓５８Ａを介してパンチ抜き孔１Ｇを覗いて確認する。確認できたら手でカンチレバー５１を板ばね５２の圧縮力に抗して引上げる。これにより、パンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈからステープル収容部５９内に飛散して収容される。なお、パンチ処理で除去されたステープルｍは勢いよく飛散するため、確認窓５８Ａを設けてステープル収容部５９内から外部に出ないようにしている。【００７０】  ここで、カンチレバー５１のてこの機能について図１９で説明する。
カンチレバー５１を引上げると、支持ピン５４を支点としてレバー作用面５１Ａの端部が板ばね５２を撓まして押上げるため、連結ピン５５がパンチ刃１Ａを押し上げてパンチ処理する。また、図２０にに示すようにカンチレバー５１は、支持ピン５４を支点として水平に１８０度回転させて板ばね５２側に反転させることにより、板ばね５２に沿って収まる。このため、外観がコンパクトで小さくなり、保管時に場所をとらず収納性が良くなる。
【実施例７】
【００７１】  図２１〜図２３は本発明のリンクレバー形のリムーバ５００の形態を示す。
本発明は、パンチ処理により除去されたステープルｍの飛散を防止し、収容する部材を設けた形態であり、トグルリンク機構を応用したリムーバである。主に収容付リムーバ本体６０周りとステープルｍをパンチ処理するためのパンチ刃１Ａ周りと、パンチ刃１Ａを上下動させるためのリンクレバー６１周りと、除去されたステープルｍを収容するステープル収容ケース６９周りで構成されている。【００７２】  収容付リムーバ本体６０は、上部本体６０Ａと下部本体６０Ｂからなり、上部本体６０Ａの上部にはステープル収容ケース６９を備え、上部本体６０Ａと下部本体６０Ｂの間には用紙挿入部１Ｅが形成されている。ステープル収容ケース６９は上部に確認孔６９Ａを形成する上部周壁６９Ｂを設け、上部周壁６９Ｂの下部にはステープルｍの位置を目視で確認すると共に、除去されたステープルｍの外部への飛散を防止する透明の確認窓６９Ｄが設けられている。確認窓６９Ｄの下方には、除去されたステープルｍを収容する空洞を形成するステープル収容部６９Ｃが設けられている。なお、確認窓６９Ｄは飛散したステープルｍにより、破損したり傷が入ったりしないしないように、強度のある透明の樹脂板あるいは透明ガラスを用いる。【００７３】  上部本体６０Ａは、ステープル収容ケース６９に設けた確認窓６９Ｄの直下に、覗き孔１Ｈを形成する周壁１Ｋを設け、周壁１Ｋの下部にはパンチ抜き孔１Ｇを形成するパンチ受け板１Ｆを備えている。パンチ受け板１Ｆの下方には用紙挿入部１Ｅを介して、下部本体６０Ｂが設けられている。下部本体６０Ｂは、下方に延びるパンチ筒部６０Ｆとパンチ刃案内部６０Ｄを備え、パンチ刃案内部６０Ｄ内には、パンチ抜き孔１Ｇに向い合うようにパンチ刃１Ａが上下動可能に設けられている。なお、パンチ刃１Ａ周りは、実施例１と同一の構成である。【００７４】  リンクレバー６１によりパンチ処理を行うために、収容付リムーバ本体６０の後方の端部にスイングピン６５Ａを設け、スイングピン６５Ａにはスイングバー６５の後方の端部が回動自在に支持されている。スイングバー６５は、上部の下部本体６０Ｂとの間に、リンクレバー６１を引上げ後待機位置に復帰する復帰ばね６８を設け、中間部に上ピン６３Ｂと前方の先端部にスライドピース６６を備えている。スライドピース６６は内部にパンチ筒部６０Ｆが挿入されている。スイングバー６５に設けられた上ピン６３Ｂには、回動自在に作動ピース６４が連結され、作動ピース６４の他端は下ピン６３Ａが連結され、リンクレバー６１に回動自在に設けられている。リンクレバー６１の前方の先端部には、下部本体６０Ｂに設けられた軸座６０Ｇに、回動自在に支持された支持軸６２が連結されている。リンクレバー６１の作動は、支持軸６２を回動支点として、下ピン６３Ａから作動ピース６４と上ピン６３Ｂとスイングバー６５とスライドピース６６を介して、長孔６６Ａと連結ピン６７とスライド孔６０Ｅを経て、ガイドホルダ１Ｄに伝達され、パンチ刃１Ａを上下動させる。【００７５】  本発明の作用について説明する。
ステープルｍを除去する用紙Ｐを用紙挿入部１Ｅに挿入し、用紙Ｐ上のステープルｍがパンチ抜き孔１Ｇの内側に位置するように、確認孔６９Ａと確認窓６９Ｄを介してパンチ抜き孔１Ｇを覗いて確認する。確認できたら手でリンクレバー６１を復帰ばね６８の圧縮力に抗して引上げる。これにより、パンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈからステープル収容部６９Ｃ内に飛散して収容される。なお、パンチ処理で除去されたステープルｍは勢いよく飛散するため、確認窓６９Ｄを設けてステープル収容部６９Ｃ内から外部に出ないようにしている。【００７６】  ここで、リンクレバー６１と作動ピース６４およびスイングバー６５との機能について説明する。パンチ処理のためリンクレバー６１を引上げると、作動ピース６４を介してスイングバー６５が復帰ばね６８を圧縮して押し上がり、連結ピン６７がパンチ刃１Ａを押し上げてパンチ処理する。この引上げ作動時、リンクレバー６１と支持軸６２と下ピン６３Ａと作動ピース６４を介して上ピン６３Ｂを結ぶ線がトグルリンク機構を形成し、作動ピース６４が徐々に垂直に近づくと、スイングバー６５を介して大きな力をパンチ刃１Ａに与え、パンチ処理時の人力負荷を軽減する。また、パンチ刃１Ａの上下動ストロークも大きく取れる。
【実施例８】
【００７７】  図２４〜図２６は本発明の平行リンク形のリムーバ６００の形態を示す。
本発明は、ステープルｍを除去する用紙Ｐの枚数が多い場合にも対応できる用紙挟み機構を備え、パンチ処理により除去されたステープルｍの飛散を防止し、収容する部材を設けた形態であり、平行リンク機構を応用したリムーバである。
主に収容付リムーバ本体７０周りとステープルｍをパンチ処理するためのパンチ刃１Ａ周りと、パンチ刃１Ａを上下動させるための主レバー７２および従レバー７３周りと、用紙挟み機構周りと、除去されたステープルｍを収容するステープル収容ケース７９Ａ周りで構成されている。【００７８】  収容付リムーバ本体７０は、上部本体７０Ａと下部本体７０Ｂからなり、上部本体７０Ａの上部にはステープル収容ケース７９Ａを備え、上部本体７０Ａと下部本体７０Ｂの間には用紙挿入部１Ｅが形成されている。ステープル収容ケース７９Ａは上部に確認孔７９Ｄを形成する上部周壁７９Ｅを設け、上部周壁７９Ｅの下部にはステープルｍの位置を目視で確認すると共に、除去されたステープルｍの外部への飛散を防止する透明の確認窓７９Ｃが設けられている。確認窓７９Ｃの下方には、除去されたステープルｍを収容する空洞を形成するステープル収容部７９Ｂが設けられている。なお、確認窓７９Ｃは飛散したステープルｍにより、破損したり傷が入ったりしないしないように、強度のある透明の樹脂板あるいは透明ガラスを用いる。【００７９】  上部本体７０Ａは、ステープル収容ケース７９Ａに設けた確認窓７９Ｃの直下に、覗き孔１Ｈを形成する周壁１Ｋを設け、周壁１Ｋの下部にはパンチ抜き孔１Ｇを形成するパンチ受け板１Ｆを備えている。パンチ受け板１Ｆの下方には用紙挿入部１Ｅを介して、下部本体７０Ｂが設けられている。下部本体７０Ｂは、下方に延びるパンチ筒部７７とパンチ刃案内部７７Ａを備え、パンチ刃案内部７７Ａ内には、パンチ抜き孔１Ｇに向い合うようにパンチ刃１Ａが上下動可能に設けられている。なお、パンチ刃１Ａ周りは、実施例１と同一の構成である。【００８０】  パンチ処理を行うために、主レバー７２と従レバー７３は、両レバーの中間部分に設けられた支持軸７４を支点として、交差状に回動自在に連結されている。主レバー７２は支持軸７４を支点として、上側で上部本体７０Ａの長孔７０Ｄに主平行ピン７１Ｂを装着し、下側で下部本体７０Ｂに従作動ピン７１Ｃを装着している。従レバー７３は支持軸７４を支点として、下側で下部本体７０Ｂの長孔７０Ｅに従平行ピン７１Ｄを装着し、上側で上部本体７０Ａに主作動ピン７１Ａを装着している。この主レバー７２と従レバー７３による平行リンク機構の構成により、上部本体７０Ａと下部本体７０Ｂは平行に上下動する。上部本体７０Ａと下部本体７０Ｂとの間には、主レバー７２と従レバー７３を操作後、待機位置に復帰する復帰ばね７５を設けている。【００８１】  下部本体７０Ｂは、前方の先端部にスリーブ部７０Ｆを一体的に備え、内部にはパンチ筒部７７が上下動可能に挿入されている。パンチ筒部７７は、用紙挟み機能を持たせるために、ばね棒７８と外周に吸収ばね７９を設けている。ばね棒７８は上端をパンチ筒部７７の上部に固定され、下端に支持鍔７８Ａを有し、下部をスリーブ部７０Ｆに上下動可能に挿入されている。主レバー７２と従レバー７３を操作することにより、下部本体７０Ｂのスリーブ部７０Ｆを経て、連結ピン７６とスライド孔７７Ｂを介して、ガイドホルダ１Ｄに伝達され、パンチ刃１Ａを上下動させる。【００８２】  本発明の作用について説明する。
ステープルｍを除去する用紙Ｐを用紙挿入部１Ｅに挿入し、用紙Ｐ上のステープルｍがパンチ抜き孔１Ｇの内側に位置するように、確認孔７９Ｄと確認窓７９Ｃを介してパンチ抜き孔１Ｇを覗いて確認する。確認できたら手で主レバー７２と従レバー７３を復帰ばね７５の圧縮力に抗して操作する。これにより、用紙挿入部１Ｅが狭くなって用紙Ｐを挟み、次にパンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈからステープル収容部７９Ｂ内に飛散して収容される。なお、パンチ処理で除去されたステープルｍは勢いよく飛散するため、確認窓７９Ｃを設けてステープル収容部７９Ｂ内から外部に出ないようにしている。なお、図３２にパンチ処理後の作動状態図を示す。【００８３】  ここで、用紙挟み機構の機能について説明する。
ステープルｍを除去する用紙Ｐを用紙挿入部１Ｅに挿入し、主レバー７２と従レバー７３を操作することにより、下部本体７０Ｂのスリーブ部７０Ｆが、連結ピン７６を介してパンチ筒部７７を押し上げ、パンチ筒部７７は上部でパンチ受け板１Ｆと共に用紙Ｐを挟む。これにより用紙Ｐがずれたり引き込まれたりしないようになるため、用紙Ｐの枚数が多い場合でもパンチ抜きの切り口が綺麗に処理される。この後、パンチ筒部７７は用紙Ｐを挟んだまま固定され、連結ピン７６のみがガイドホルダ１Ｄを介してパンチ刃１Ａを上昇作動させて用紙Ｐをパンチ処理する。この時、スリーブ部７０Ｆとパンチ筒部７７との作動ストロークの差が生じるが吸収ばね７９が吸収する。
【実施例９】
【００８４】  図２７〜図２９は本発明の用紙押え形のリムーバ７００の形態を示す。
本発明は、ステープルｍを除去する用紙Ｐの枚数が多い場合にも対応できる用紙押え機構を備え、パンチ処理により除去されたステープルｍの飛散を防止し、収容する部材を設けた形態のリムーバである。
主に収容付リムーバ本体８０周りと、ステープルｍをパンチ処理するためのパンチ刃１Ａ周りと、パンチ刃１Ａを上下動させるための押えレバー８１周りと、用紙押え機構周りと、除去されたステープルｍを収容するステープル収容ケース８９周りで構成されている。【００８５】  収容付リムーバ本体８０は、上部本体８０Ａと下部本体８０Ｂからなり、上部本体８０Ａの上部にはステープル収容ケース８９を備え、上部本体８０Ａと下部本体８０Ｂの間には用紙挿入部１Ｅが形成されている。ステープル収容ケース８９は上部に確認孔８９Ｃを形成する上部周壁８９Ｄを設け、上部周壁８９Ｄの下部にはステープルｍの位置を目視で確認すると共に、除去されたステープルｍの外部への飛散を防止する透明の確認窓８９Ｂが設けられている。確認窓８９Ｄの下方には、除去されたステープルｍを収容する空洞を形成するステープル収容部８９Ａが設けられている。なお、確認窓８９Ｂは飛散したステープルｍにより、破損したり傷が入ったりしないしないように、強度のある透明の樹脂板あるいは透明ガラスを用いる。【００８６】  上部本体８０Ａは、ステープル収容ケース８９に設けた確認窓８９Ｂの直下に、覗き孔１Ｈを形成する周壁１Ｋを設け、周壁１Ｋの下部にはパンチ抜き孔１Ｇを形成するパンチ受け板１Ｆを備えている。パンチ受け板１Ｆの下方には、用紙挿入部１Ｅを介して下部本体８０Ｂが設けられている。下部本体８０Ｂは、下方に延びるパンチ筒部８０Ｅとパンチ刃案内部８０Ｆを備え、パンチ刃案内部８０Ｆ内には、パンチ抜き孔１Ｇに向い合うようにパンチ刃１Ａが上下動可能に設けられている。なお、パンチ刃１Ａ周りは、実施例１と同一の構成である。【００８７】  押えレバー８１によりパンチ処理を行うために、下部本体８０Ｂの下部にベース台８０Ｄを備えている。ベース台８０Ｄは前方に支持軸８２を設けた軸座８０Ｈを備え、支持軸８２には押えレバー８１を回動自在に設け、押えレバー８１を押下げ後待機位置に復帰するため、捩り形式の復帰ばね８３を備えている。押えレバー８１は支持軸８２を作動支点として、前方の先端部に長孔８１Ａを介して連結ピン８４を回動自在に設け、パンチ筒部８０Ｅに形成されたスライド孔８０Ｇと、ガイドホルダ１Ｄを介してパンチ刃１Ａを上下動させる。なお、ガイドホルダ１Ｄは空間部を形成するホルダ孔８０Ｈを有している。【００８８】  ベース台８０Ｄと一体のパンチ筒部８０Ｅの外周には、用紙押え機能を持たせるために、押えスリーブ８５を上下動可能に設け、押えスリーブ８５の上部に、支持鍔８６Ａを下端に有する一対のばね棒８６を上下動可能に挿入する。ばね棒８６は外周に吸収ばね８７を設け、上端を用紙押え板８８に接続固定し、用紙押え板８８は内周をパンチ筒部８０Ｅに上下動可能に挿入されている。【００８９】  本発明の作用について説明する。
ベース台８０Ｄを平坦な台上に設置し、ステープルｍを除去する用紙Ｐを用紙挿入部１Ｅに挿入し、用紙Ｐ上のステープルｍがパンチ抜き孔１Ｇの内側に位置するように、確認孔８９Ｃと確認窓８９Ｂを介してパンチ抜き孔１Ｇを覗いて確認する。確認できたら手で押えレバー８１を復帰ばね８３の捩り力に抗して押し下げる。これにより、用紙挿入部１Ｅが狭くなって用紙Ｐを押え、次にパンチ刃先１Ｂが用紙Ｐを下方から上方に切り抜き、パンチ抜き孔１Ｇを貫通してパンチ処理する。パンチ処理で除去されたステープルｍは、用紙Ｐの一部と共に覗き孔１Ｈからステープル収容部８９Ａ内に飛散して収容される。なお、パンチ処理で除去されたステープルｍは勢いよく飛散するため、確認窓８９Ｂを設けてステープル収容部８９Ａ内から外部に出ないようにしている。また、平坦な台上に置くことにより、用紙枚数が多い場合でも安定したパンチ処理作業ができる。なお、図３３にパンチ処理後の作業状態図を示す。【００９０】  ここで、用紙押え機構の機能について説明する。
ステープルｍを除去する用紙Ｐを用紙挿入部１Ｅに挿入し、押えレバー８１を押し下げると、支持軸８２を支点として連結ピン８４を押し上げる。この時、連結ピン８４はガイドホルダ１Ｄとの間の空間部のホルダ孔８０Ｈにより空上がりするため、まず押えスリーブ８５と、ばね棒８６と吸収ばね８７および用紙押え板８８を押し上げ、用紙押え板８８はパンチ受け板１Ｆと共に用紙Ｐを押える。これにより用紙Ｐがずれたり引き込まれたりしないようになるために、用紙Ｐの枚数が多い場合でもパンチ抜きの切り口が綺麗に処理される。この後、用紙押え板８８は用紙を押えたまま固定され、連結ピン８４のみがガイドホルダ１Ｄを介してパンチ刃１Ａを上昇作動させて用紙Ｐをパンチ処理する。この時、押えスリーブ８５と用紙押え板８８との作動ストロークの差が生じるが吸収ばね８７が吸収する。
【符号の説明】
【００９１】ｍ      テープル                      Ｐ      用紙
１Ａ    パンチ刃                      １Ｂ    パンチ刃先
１Ｅ    用紙挿入部                    １Ｆ    パンチ受け板
１Ｇ    パンチ抜き孔                  １Ｈ    覗き孔
１Ｋ    周壁                          ２      連結ピン
３      台座                          ５      復帰ばね
６      ハウジング                    ６Ａ    手押し部
６Ｃ    パンチ刃案内部
２０    リムーバ本体                  ２０Ａ  上部本体
２０Ｂ  下部本体                      ２０Ｄ  パンチ刃案内部
２１    レバー                        ２２    支持軸
２３    復帰ばね                      ２４    連結ピン
１００  手押し形のリムーバ
３４    収容付ハウジング              ３５    ステープル収容ケース
３６    ステープル収容部              ３７    確認窓
２００  レバー形のリムーバ
２０Ｈ  収容付リムーバ本体            ２０Ｉ  上部本体
２０Ｊ  下部本体                      ２５    ステープル収容ケース
２６    ステープル収容部              ２７    確認窓
３００  押下げ形のリムーバ
４０    収容付リムーバ本体            ４０Ａ  上部本体
４０Ｂ  下部本体                      ４０Ｄ  ベース台
４０Ｆ  パンチ刃案内部                ４１    押下げレバー
４２    支持軸                        ４３    復帰ばね
４４    連結ピン                      ４５    ステープル収容ケース
４６    ステープル収容部              ４７    確認窓
４００  カンチレバー形のリムーバ
５０    収容付リムーバ本体            ５０Ａ  上部本体
５０Ｂ  下部本体                      ５０Ｄ  パンチ刃案内部
５１    カンチレバー                  ５１Ａ  レバー作用面
５２    板ばね                        ５２Ａ  支持孔
５３    支持軸                        ５５    連結ピン
５６    スライドピース                ５８    ステープル収容ケース
５８Ａ  確認窓                        ５９    ステープル収容部
５００  リンクレバー形のリムーバ
６０    収容付リムーバ本体            ６０Ａ  上部本体
６０Ｂ  下部本体                      ６０Ｄ  パンチ刃案内部
６１    リンクレバー                  ６２    支持軸
６３Ａ  下ピン                        ６３Ｂ  上ピン
６４    作動ピース                    ６５    スイングバー
６５Ａ  スイングピン                  ６６    スライドピース
６７    連結ピン                      ６８    復帰ばね
６９    ステープル収容ケース          ６９Ｃ  ステープル収容部
６９Ｄ  確認窓
６００  平行リンク形のリムーバ
７０    収容付リムーバ本体            ７０Ａ  上部本体
７０Ｂ  下部本体                      ７０Ｆ  スリーブ部
７１Ａ  主作動ピン                    ７１Ｂ  主平行ピン
７１Ｃ  従作動ピン                    ７１Ｄ  従平行ピン
７２    主レバー                      ７３    従レバー
７４    支持軸                        ７５    復帰ばね
７６    連結ピン                      ７７    パンチ筒部
７７Ａ  パンチ刃案内部                ７８    ばね棒
７９    吸収ばね                      ７９Ａ  ステープル収容ケース
７９Ｂ  ステープル収容部              ７９Ｃ  確認窓
７００  用紙押え形のリムーバ
８０    収容付リムーバ本体            ８０Ａ  上部本体
８０Ｂ  下部本体                      ８０Ｄ  ベース台
８０Ｅ  パンチ筒部                    ８０Ｆ  パンチ刃案内部
８１    押えレバー                    ８２    支持軸
８３    復帰ばね                      ８４    連結ピン
８５    押えスリーブ                  ８６    ばね棒
８７    吸収ばね                      ８８    用紙押え板
８９    ステープル収容ケース          ８９Ａ  ステープル収容部
８９Ｂ  確認窓
【図１】
2014205230.tif 000003
【図２】
2014205230.tif 000004
【図３】
2014205230.tif 000005
【図４】
2014205230.tif 000006
【図５】
2014205230.tif 000007
【図６】
2014205230.tif 000008
【図７】
2014205230.tif 000009
【図８】
2014205230.tif 000010
【図９】
2014205230.tif 000011
【図１０】
2014205230.tif 000012
【図１１】
2014205230.tif 000013
【図１２】
2014205230.tif 000014
【図１３】
2014205230.tif 000015
【図１４】
2014205230.tif 000016
【図１５】
2014205230.tif 000017
【図１６】
2014205230.tif 000018
【図１７】
2014205230.tif 000019
【図１８】
2014205230.tif 000020
【図１９】
2014205230.tif 000021
【図２０】
2014205230.tif 000022
【図２１】
2014205230.tif 000023
【図２２】
2014205230.tif 000024
【図２３】
2014205230.tif 000025
【図２４】
2014205230.tif 000026
【図２５】
2014205230.tif 000027
【図２６】
2014205230.tif 000028
【図２７】
2014205230.tif 000029
【図２８】
2014205230.tif 000030
【図２９】
2014205230.tif 000031
【図３０】
2014205230.tif 000032
【図３１】
2014205230.tif 000033
【図３２】
2014205230.tif 000034
【図３３】
2014205230.tif 000035